(57)【要約】      （修正有）【課題】タイムカウントを開始させるスタート機能、タイムカウントを停止させるストップ機能、タイムカウントを０に戻すリセット機能を有する複数の同期したタイマーを提供する。【解決手段】時計の使用者が行う親機１００に対しての、その時点からタイムカウントアップを始めるスタート命令、タイムカウントを停止させるストップ命令、タイムカウントを０に戻すリセット命令は、親機１００からスタート命令信号、ストップ命令信号、リセット命令信号として子機１０１，１０２，１０３に送信され、子機１０１、１０２，１０３はそれら命令信号を受信しその命令に応じた処理を実行することで、親機１００、子機１０１、１０２，１０３ともに同期したストップウォッチ機能を実現する。【選択図】図１
2017223597.tif 000002
【特許請求の範囲】
【請求項１】
親機から送信される時刻信号により子機の時刻を親機と同期させる親子時計システムにおいて、その時点からタイムカウントアップを始めるスタート命令信号、タイムカウントを停止させるストップ命令信号、時刻をゼロに戻すリセット命令信号の少なくとも一つを送信する送信部を持つ親機、および、親機から送られてくるその時点からタイムカウントアップを始めるスタート命令信号、親機から送られてくるタイムカウントを停止させるストップ命令信号、親機から送られてくるタイムカウントをゼロに戻すリセット命令信号の少なくとも一つを受信しその命令信号に応じた処理を実行する受信処理部を持つ子機を有することを特徴とするタイマー装置システム。
【請求項２】
親機から送信される時刻信号により子機の時刻を親機と同期させる親子時計システムにおいて、タイムカウントをスタート、ストップ、リセットさせる機能とタイムカウントを送信する機能を持つ親機、および、レディー状態において０以外のタイムカウントを受信した場合スタート状態に移行してタイムカウントアップを始める機能と、スタート状態において同一のタイムカウントを２回以上連続して受信した場合ストップ状態に移行してタイムカウントアップを停止させる機能、ストップ状態において０のタイムカウントを受信した場合レディー状態に移行してダイムカウントを０に戻す機能の少なくとも一つを持つ子機を有することを特徴とするタイマー装置システム。
【発明の詳細な説明】
【技術分野】
【０００１】
本発明は、タイマー時計であって、特にプール、体育館、運動場等において競技者が練習または競技をしながら容易に時刻を視認でき、ラップタイムまたはフィニッシュタイム、トレーニング時間等を把握することができる装置システムに関する。
【背景技術】
【０００２】
プール等の練習時において、練習する者はラップタイムを気にかけながら行うことが多い。例えば５０ｍを４５秒のラップで４００ｍ泳ごうとする等である。５０ｍプールでこの練習を行う場合、練習する者は５０ｍごとに自らのラップタイムを見ながら泳ぎたいと考えるので、プールの両端付近には瞬時に時刻把握のできる大きなタイマー時計装置が設置されていることが多い。
【０００３】
さらにこれらプール両端に設置されたタイマー時計装置は、それぞれ常に同じ時刻を指し示している必要がある。そのため、タイマー時計の針位置を合せておいて電源を同時にＯＮすることにより、両方のタイマー時計を０分００秒から秒針、分針を動かし始めるといった手法等がとられていた。
【０００４】
この同期を容易に実現するために、電波等を利用した無線式親子時計の手法を利用することも考えられる。
【０００５】
しかし練習者はスタート時点の時刻が０分００秒であることが、泳いだ距離、あるいは走った距離に対する途中経過時間の把握や、ラップタイムの暗算を容易化することができる。これを実現するには、通常の無線通信機能を持つ親子時計では時刻がちょうど０分００秒をさすタイミング、すなわち、１時間に１回のチャンスを待つしかなかった。
【先行技術文献】
【特許文献】
【０００６】
【特許文献１】公開実用新案公報  昭５４−１４８１７９
【特許文献２】特許第３５２６７６８号公報
【特許文献３】特許第４２５５２７７号公報
【発明の概要】
【発明が解決しようとする課題】
【０００７】
本発明は、こういった複数のタイマー時計装置電源の同時ＯＮということをしなくても、複数のタイマーが同じ時刻を常に表示する構造を提供するものである。また、同時ＯＮでも装置の個体差により時刻がズレることも多々発生する。あるいは、同時ＯＮの時点から１時間前後までは特に大きなズレは起こらなくても、８時間から１０時間後には何秒かズレる場合もある。本発明はこれらのようなズレが起こらない構造を提供する。
【０００８】
さらに、タイムカウントを開始させるスタート機能、タイムカウントを停止させるストップ機能、タイムカウントを０に戻すリセット機能を有する複数の同期したタイマーを提供する。
【課題を解決するための手段】
【０００９】
本発明（請求項１）に係るタイマー時計システムは、各タイマー時計が水晶発振子等の信号を元に時刻をカウントアップする機能と時刻を表示する機能を持っているだけでなく、各時計の間でデータ通信を行う機能を持たせることにより、基準となる親機のタイムカウントを子機に適宜送信することを可能とし、子機はタイムカウントを受信して時刻を補正する。さらに、時計の使用者が行う親機に対しての、その時点からタイムカウントアップを始めるスタート命令、タイムカウントを停止させるストップ命令、タイムカウントを０に戻すリセット命令は、親機からスタート命令信号、ストップ命令信号、リセット命令信号として子機に送信され、子機はそれら命令信号を受信しその命令に応じた処理を実行することで、親機、子機ともに同期したストップウォッチ機能を実現する。
【００１０】
本発明（請求項２）に係るタイマー時計システムは、各タイマー時計が水晶発振子等の信号を元に時刻をカウントアップする機能と時刻を表示する機能を持っているだけでなく、各時計の間でデータ通信を行う機能を持たせることにより、基準となる親機のタイムカウントを子機に適宜送信することを可能とし、子機は親機のタイムカウントを受信して時刻を補正する。さらに、時計の使用者が行う親機に対しての、その時点からタイムカウントアップを始めるスタート命令、タイムカウントを停止させるストップ命令、タイムカウントを０に戻すリセット命令は、親機から子機に対して命令信号として送信されることはなく、タイムカウントの値を適宜子機に対して送信するだけである。しかし子機はそれらタイムカウント値を受信し、レディー状態である子機が０以外のタイムカウント値を受信した場合はスタート状態に移行し受信した値をその時点での子機のタイムカウント値として認識し、そこからカウントアップを始める。スタート状態である子機が前回と異なるタイムカウント値を受信した場合は、受信した値をその時点での子機のタイムカウント値として認識し、そこからカウントアップを始める。スタート状態である子機が前回と同一のタイムカウントを受信した場合はストップ状態に移行し、カウントアップを止める。ストップ状態である子機が０のタイムカウントを受信した場合はレディー状態に移行し、タイムカウントを０に戻す。こうして、親機、子機ともに同期したストップウォッチ機能を実現する。
【発明の効果】
【００１１】
複数のストップウォッチ機能を持つ時計を同期して動作させることが可能なため、例えば５０ｍプールでの水泳練習において、泳者は５０ｍごとに自分のラップタイムを容易に確認できるようになるため、自らの目標タイムを意識した密度の高い練習ができ自らのレベルアップに役立つ。その際、泳ぎ開始タイムを簡単に０分００秒にセットできるため、泳者はラップタイムの暗算をさらに容易化できるようになる。
【図面の簡単な説明】
【００１２】
【図１】複数台タイマー時計  同期制御システムの構成図
【図２】装置の電気回路ブロック図
【図３】事例１親機の処理手順フローチャート図
【図４】事例１子機の処理手順フローチャート図
【図５】事例２親機の処理手順フローチャート図
【図６】事例２子機の処理手順フローチャート図
【図７】事例３複数台タイマー時計  同期制御システムの構成図
【図８】その他複数台タイマー時計  同期制御システムの構成図
【図９】事例３親機の処理手順  追加部分フローチャート図
【発明を実施するための形態】
【００１３】
本発明は複数台が同期して動作するストップウォッチ機能を持ったタイマー時計装置システムである。システムの基本的な形態は１台の１００親機と１台以上の子機とから成っている。例えば、１０１子機、１０２子機、１０３子機の３台の子機から成っている事例を図１に示す。親機、子機とも、それぞれ時刻を管理する電気回路と無線で送受信する電気回路を持っているが、通常、データや命令は親機側から子機側へと送信される。
【００１４】
親機、子機のいずれも、電源は交流商用電源を直流に変換するＡＣアダプター、または、電池、パーソナルコンピュータ周辺機器駆動用端子などから供給されるＤＣ電源を利用する。
【００１５】
電気回路の基本部分は同じであり、図２電気回路ブロック図に示すように１中央制御装置ＣＰＵ、２記憶回路ＲＯＭ、３記憶回路ＲＡＭ、４エンコーダ/デコーダ回路、５送信/受信回路、６アンテナで構成されている。１中央制御装置ＣＰＵはその中に内部タイマーを備えている。子機は、７スイッチ類、及び、８表示回路を持つ。親機は７スイッチ類、及び、８表示回路を持つ場合もあるし持たない場合もある。持たない場合は、スイッチ入力や表示はパーソナルコンピュータ、あるいは、別の指示機等を利用する。
【００１６】
事例１として、７スイッチ類、及び、８表示回路を持つ親機の場合の説明を行う。親機は７スイッチ類の中の一つのスイッチ状態により、その装置が親機であることを認識している。１中央制御装置は２記憶回路ＲＯＭに記憶されているプログラムに従って動作する。図３にそのフローを示す。
【００１７】
当初、親機はレディー状態にある。時刻を記憶するタイムカウントは０．００００１秒以上、１秒以下を記憶する構造とするが、この事例では、時刻を記憶するタイムカウントは０．０１秒までを記憶するものとし、当初は０分０秒００を保持し続けている。時計表示は秒以上を表示し、０分０秒である。１中央制御装置が内部に保持している内部タイマーは当初から０．００００１秒以上、１秒以下の間隔で動かしておく。この事例では０．０１秒とし、この間隔で割込みをかける。使用者が７スイッチ類の内のスタートスイッチによりオンパルスを与えると、実行中のプログラムに対しスイッチ割込みがかかり、以下の処理を行う。
（１）状態をスタート状態にする。
（２）子機に対してスタート命令信号を送信する。例えば「Ｓ」に対応するアスキーコードを送ると共に、タイムカウントのデータ、すなわち、分データ、秒データ、秒未満データを送る。従って、例えば最初に送る送信信号は、「Ｓ００００００」となる。
【００１８】
スタート状態では内部タイマーは、０．００００１秒以上、１秒以下の間隔で、例えば、０．０１秒ごとに割込みをかけ、その処理として以下のことを行う。
（１）親機で管理されているタイムカウントの値を０．０１秒だけ進める。
（２）スタート状態へ移行した当初は、所定の適切な０．００００１秒以上１秒以下の間隔で、所定の適切な２回以上２０００回以下の回数だけタイムカウントの値を子機に送る。その手法として、タイムカウントの秒未満データの値がある適切な値の倍数となり、かつ、別の適切な値以下となる場合、子機に対してタイムカウントデータを伴うスタート命令信号を送信する。例えば０．０５秒の倍数で０．７５秒以下とすると、スタート時点の送信を含めると０．０５秒間隔で１６回の送信がなされることになる。送信間隔は受信側が余裕をもって受信処理できる間隔とする。これらの送信は、子機がスタート信号を確実に捉える確率を高めるためである。
（３）タイムカウント内容の秒未満の値が００になった際は、時計表示を１秒だけ進める。この際、例えば５９秒から６０秒に進む際などは秒を０に戻すと共に分表示を１分だけ進めることは言うまでもない。
（４）１分経過するごとにその時のタイムカウント値を子機に送る。例えば、「Ｔ」に対応するアスキーコードと共にその後に分データ、秒データを送る。この場合、秒未満データは０であるので送る必要はない。これにより親機子機の同期をとる。
【００１９】
スタート状態において使用者が７スイッチ類の内のストップスイッチによりオンパルスを与えると割込みがかかり、以下の処理を行う。
（１）状態をホールト状態にする。内部タイマー割込み回数を数える割込みカウント数、および、割込みビッグカウント数を０に戻す。
（２）子機に対してストップ命令信号を送信する。例えば「Ｈ」に対応するアスキーコードを送ると共に、最後のタイムカウントのデータの内、分データ、秒データを送る。
（３）表示はストップがかかる直前のタイムカウントの内容を設定する。
【００２０】
ホールト状態においても内部タイマー割込みは０．０１秒ごとにかかる。このときの処理はスタート状態に移行した当初の処理と類似しており、その詳細を以下に示す。
（１）割込みカウント数が５となるごとに割込みビッグカウント数を１増やす。
（２）割込みビッグカウント数が増加し、かつ１５以下となる場合、子機に対してストップ命令信号を送信する。例えば「Ｈ」に対応するアスキーコードを送ると共に、最後のタイムカウントのデータの内、分データ、秒データを送る。
（３）割込みビッグカウントがちょうど１２００の倍数になるとき、（２）と同様、ストップ命令とタイムカウント内容を子機に対して送信する。つまり、周期１分でホールト命令を送り続ける。
（４）表示はストップがかかる直前の状態を維持する。
【００２１】
ホールト状態において、使用者が７スイッチ類の内のリセットスイッチによりオンパルスを与えると割込みがかかり、以下の処理を行う。
（１）状態をレディー状態にする。
（２）子機に対してリセット命令信号を送信する。例えば「Ｒ」に対応するアスキーコードを送る。
（３）表示は０分０秒に戻し維持する。
【００２２】
レディー状態においても内部タイマー割込みは０．０１秒ごとにかかり、ホールト状態の場合と同様、当初の１６回と以降１分間隔でリセット命令を子機に対して送信する。
【００２３】
子機の説明を行う。子機は７スイッチ類の中の一つのスイッチ状態により、その装置が子機であることを認識している。１中央制御装置は２記憶回路ＲＯＭに記憶されているプログラムに従って動作する。図４にそのフローを示す。
【００２４】
当初、子機はレディー状態にあり、タイムカウントは０を保持し続けている。時計表示も０分０秒である。親機からの送信データを受信すると実行中のプログラムに対し割込みがかかり、以下の処理を行う。
（１）受信データ信号の最初のものが「Ｓ」のアスキーコードである場合、スタート命令であると判断し、この時点から内部タイマーの値を動かし始め、状態をスタート状態にする。
（２）子機のタイムカウントに上記「Ｓ」の後に続くデータ、すなわち、分データ、秒データ、秒未満データを書き込む。
親機からはスタート命令が複数回送信され、通常、子機はその内の何回かを受信するのであるが、１回でも受信すれば状態はレディー状態からスタート状態に移行する。２回目以降のスタート命令受信は、子機としては何も新たに処理を行うことはない。
【００２５】
スタート状態になって動き始めた内部タイマーは０．００００１秒以上、１秒以下の間隔で、例えば、０．０１秒ごとに割込みをかけ、以下の処理を行う。
（１）子機で管理されているタイムカウント、すなわち、分、秒、秒未満データを０．０１秒だけ進める。
（２）秒未満データが９９、すなわち、０．９９秒の際にこの割込みがかかると、秒未満データを００に戻すと共に秒データをプラス１秒する。秒データが５９であった場合は、秒データを０に戻すと共に分データをプラス１分すること等は言うまでもない。
（３）表示をタイムカウントの値の内の分データと秒データに設定する。
【００２６】
スタート状態にある子機が親機からの送信データを受信すると実行中のプログラムに対し割込みがかかり、以下の処理を行う。
（１）受信データの最初のデータが「Ｓ」である場合は、何も処理を行わない。
（２）受信データの最初のデータが「Ｔ」である場合は、タイム確認命令であると判断し、その後に送られている分データ、秒データを読み取り、この子機のタイムカウントの値を、読み取った値及び秒未満データを００として書き換える。状態はスタート状態を維持する。
（３）受信データの最初のデータが「Ｈ」である場合は、内部タイマーを止める。
（４）ストップ命令であると判断し、状態をホールト状態にする。
（５）その後に送られてくる分データ、秒データを読み取り、この子機のタイムカウントの値を読み取った値に書き換える。
（６）表示は上述の書き換えたタイムカウントの値とする。
【００２７】
ホールト状態にある子機が親機からの送信データを受信すると実行中のプログラムに対し割込みがかかり、以下の処理を行う。
（１）受信データの最初のデータが「Ｈ」である場合は、何も処理を行わない。
（２）受信データの最初のデータが「Ｒ」である場合は、リセット命令であると判断し、状態をレディー状態にする。内部タイマーは止めたままである。
（３）子機で管理されているタイムカウント、すなわち、分データ、秒データ、秒未満データを０にする。
（４）表示は０分０秒とし維持する。
【００２８】
レディー状態にある子機が親機からの送信データを受信すると実行中のプログラムに対し割込みがかかり、以下の処理を行う。
（１）受信データの最初のデータが「Ｒ」である場合は、何も処理は行わない。
（２）受信データの最初のデータが「Ｓ」である場合は、すでに述べた通りである。
【００２９】
このようにして親機、子機ともに同期したストップウォッチ機能を実現する。また、例えば親機がスタート状態であるとき、電波状況に問題が発生し、親機子機間で通信エラーが少々発生しても、子機は内部タイマーによる割込みによりタイムカウントが正しく更新されるので、表示も正しく保たれる。
【００３０】
事例２を説明する。親機が７スイッチ類の中の一つのスイッチ状態により、その装置が親機であることを認識している点などは前事例と同じである。通信データに、子機に指示を行う命令信号が含まれない点が前事例と異なる。図５にそのフローを示す。
【００３１】
当初、親機はレディー状態にあり時刻は０である。時計表示も０分０秒である。１中央制御装置が内部に保持している内部タイマーは当初から動いており、親機がこのレディー状態にある間は０．００００１秒以上１秒以下の間隔で割込みをかける。この事例では０．０１秒の間隔で割込みをかける事例を示す。
（１）タイムカウントは０分０秒００を維持したままとする。
（２）割込みごとにカウントする割込みカウント数が６０００に達すると、自らのタイムカウント値０分０秒００を子機に送る。つまり、１分ごとに０のデータを送ることである。これにより子機も０分０秒を表示し続ける。
【００３２】
使用者が７スイッチ類の内のスタートスイッチによりオンパルスを与えると、実行中のプログラムに対し割込みがかかり、以下の処理を行う。
（１）タイムカウントを０分０秒００にする。
（２）タイムカウントの値を送信する。
（３）表示をタイムカウントの内容の秒以上の部分に設定する。
（４）状態をスタート状態にする。
【００３３】
スタート状態にある親機において、内部タイマーによる割込み、すなわち、この事例では０．０１秒間隔での割込みがかかると、以下の処理を行う。
（１）親機で管理されているタイムカウントを０．０１秒だけ進める。
（２）親機の表示として、タイムカウントの値の秒以上の部分の表示を行う。
（３）スタート状態へ移行した当初は、所定の適切な０．００００１秒以上１秒以下の間隔で、所定の適切な２回以上２０００回以下の回数だけタイムカウントの値を子機に送る。例えば、秒未満の値が０．０５の倍数になると、タイムカウントの値、すなわち、分データ、秒データ、秒未満データを子機に送る。これを１５回連続して行う。
（４）以降は親機のタイムカウント値の秒以下が０秒００になるごとに、つまり、１分ごとにタイムカウント値を子機に送り、親機子機の同期をとる。
【００３４】
スタート状態にある親機に対し、使用者が７スイッチ類の内のストップスイッチによりオンパルスを与えると、実行中のプログラムに対し割込みがかかり、
（１）タイムカウント値をストップ時刻メモリにコピーする。
（２）ストップ時刻メモリの値を子機に送信する。
（３）表示をストップ時刻メモリの値の分データ、秒データとする。
（４）タイムカウント値を０にする。
（５）状態をホールト状態にする。
【００３５】
ホールト状態にある親機において、内部タイマーによる割込みがかかると、以下の処理を行う。
（１）親機で管理されているタイムカウントを０．０１秒だけ進める。
（２）ホールト状態へ移行した当初は、所定の適切な間隔で、所定の適切な回数だけストップ時刻メモリの値を子機に送る。例えば、０．０１秒の内部タイマー割込みを５回カウントするごとに、ストップ時刻データ、すなわち、ストップパルスが入った際の分データ、秒データ、秒未満データを送る。
（３）表示をストップ時刻メモリの分データ、秒データに設定する。（２）の送信と共に、これを１５回繰り返す。ホールト状態に入る際の送信と合わせると、合計１６回の送信となる。
（４）以降は親機のタイムカウント値の秒以下が０秒００になるごとに、つまり、１分ごとにストップ時刻メモリの値を子機に送り、ホールト状態の確認をとる。
【００３６】
使用者が７スイッチ類の内のリセットスイッチによりオンパルスを与えると、実行中のプログラムに対し割込みがかかり、
（１）タイムカウントを０分０秒００にする。
（２）タイムカウントの値を送信する。
（３）表示を０分０秒００に設定する。
（４）親機の状態をレディー状態にする。
【００３７】
レディー状態にある親機において、内部タイマーによる割込みがかかると、以下の処理を行う。
（１）親機で管理されているタイムカウントを０．０１秒だけ進める。
（２）レディー状態へ移行した当初は、スタート状態への移行当初と同様、所定の適切な間隔で、所定の適切な回数だけデータ０分０秒００を子機に送る。例えば、０．０１秒の内部タイマー割込みを５回カウントするごとに、データ０分０秒００を送る。
（３）表示をデータ０分０秒００に設定する。（２）の送信と共に、これを１５回繰り返す。
（４）以降は親機のタイムカウントの値の秒以下が０秒００になるごとに、つまり、１分ごとにデータ０分０秒００を子機に送り、レディー状態の確認をとる。
【００３８】
子機の説明を行う。子機は７スイッチ類の中の一つのスイッチ状態により、その装置が子機であることを認識している。１中央制御装置は２記憶回路ＲＯＭに記憶されているプログラムに従って動作する。図６にそのフローを示す。
【００３９】
当初、子機はレディー状態にあり、タイムカウントは０分０秒００である。時計表示も０分０秒である。親機から送られた時刻データを受信した際、受信割込みがかかり、送られてくる時刻データにより状態を遷移させるなどの処理を行う。その規則は以下である。
（１）送られてきた時刻データが前回送られてきた時刻データと同じでない場合は、スタート状態とする。
（２）送られてきた時刻データが前回送られてきた時刻データと同じであり、かつ、その値が０である場合、レディー状態とする。
（３）送られてきた時刻データが前回送られてきた時刻データと同じであり、かつ、その値が０でない場合、ホールト状態とする。
（４）上記いずれの場合も、送られてきた時刻データをタイムカウントに書き込む。
（５）表示をタイムカウントの秒以上の値に設定する。
【００４０】
１中央制御装置が内部に保持している内部タイマーは当初から動いており、例えば０．０５秒間隔で割込みがかかるように設定している。そして内部タイマー割込みがかかった際は、その時の状態により以下の処理を行う。
（１）レディー状態の場合、特に処理を行わない。タイムカウントの値は０分０秒００を維持している。
（２）スタート状態の場合、タイムカウントの値を０．０５秒プラスする。
（３）さらに、（２）の場合、表示を新たなタイムカウントの分データ、および、秒データの値に設定する。
（４）ホールト状態の場合、特に処理を行わない。タイムカウントの値は親機のストップスイッチによるパルスが入った時刻を維持している。
【００４１】
このように、送受信データは時刻データだけであるが、親機、子機の処理が工夫されているためストップウォッチ機能を発揮することができる。また、例えば親機がスタート状態であるとき、電波状況に問題が発生し、親機子機間で通信エラーが少々発生しても、事例１と同様、子機は内部タイマーによる割込みによりタイムカウントが正しく更新されるので、表示も正しく保たれる。
【００４２】
事例３を説明する。この事例は、親機、子機の他に親機に無線で指示を与える指示機が存在するものである。通信データの流れ図から見れば、その指示機は超親機ということができる。その指示機はスタート命令、ストップ命令、リセット命令を含んでいる。
【００４３】
超親機である指示機は、親機のみに送信する構成（図７）と、親機、子機の両方に送信する構成（図８）が考えられるが、この事例は親機のみに送信する構成（図７）である。システムとしては、ハードウェア面でもソフトウェア面でも、事例１に指示機が追加されたものと考えて良い。
【００４４】
指示機のハードウェアは、競技者が競技を行いながら確認できる大型表示器を持たない点では親機、子機とは異なるが、それ以外の電気回路は同じである。
【００４５】
指示機は７スイッチ類の中の一つのスイッチ状態により、その装置が親機であることを認識している。１中央制御装置は２記憶回路ＲＯＭに記憶されているプログラムに従って動作する。そのフローは事例１の親機とほぼ同じである。異なる点は、スタート命令信号が「Ｂ」、ストップ命令信号が「Ｃ」、リセット命令信号が「Ｚ」と違うコードにすることだけで、子機がその命令を受けても何も処理を行わないようにしたことである。
【００４６】
親機の説明を行う。これも事例１の親機と似ており、異なる点は、受信割込みを受け付け、以下の処理を行うことが追加されたことである。図９にその追加部分のフローを示す。
（１）レディー状態において、受信割込みプログラム中でスタート命令信号「Ｂ」が送られてきたと判断された場合、以下の処理を行う。
1.スタート状態に移行する。
2.タイムカウントの値を受信したデータに書き換える。
3.子機に対し「Ｓ」信号とタイムカウントの内容を送信する。
（２）スタート状態において、受信割込みプログラム中でスタート命令信号「Ｃ」が送られてきたと判断された場合、以下の処理を行う。
1.ホールト状態に移行する。
2.割込みカウント数、および、割込みビッグカウント数の値を０にセットする。
3.タイムカウント値を受信したデータに書き換える。
4.子機に対し「Ｈ」信号とタイムカウント値を送信する。
5.表示をタイムカウントの秒以上のデータに設定する。
（３）ホールト状態において、受信割込みプログラム中でスタート命令信号「Ｚ」が送られてきたと判断された場合、以下の処理を行う。
1.レディー状態に移行する。
2.割込みカウント数、および、割込みビッグカウント数の値を０にセットする。
3.タイムカウントの値を０に書き換える。
4.子機に対し「Ｒ」信号を送信する。
5.表示を０（０分０秒）に設定する。
【００４７】
この親機のその他の動作は事例１の親機と同じである。したがって、親機のスタート入力、ストップ入力、リセット入力は親機のスイッチ、および、指示機の両方から可能となる。
【００４８】
子機の動作は、事例１の子機と同じである。
【００４９】
このようなしくみにより、無線で複数台のタイマー時計が同期して動作し、かつ、小型の指示機からスタート、ストップ、リセットの動作指示を行うことが可能なストップウォッチ機能を持つタイマーシステムを実現することが可能となる。
【符号の説明】
【００５０】
１  中央制御装置ＣＰＵ
２  記憶回路ＲＯＭ
３  記憶回路ＲＡＭ
４  エンコーダ/デコーダ回路
５  送信/受信回路
６  アンテナ
７  スイッチ回路
８  表示回路
１００  タイマー時計 親機
１０１  タイマー時計 子機１
１０２  タイマー時計 子機２
１０３  タイマー時計 子機３
１１０  タイマー時計 指示機
【図１】
2017223597.tif 000003
【図２】
2017223597.tif 000004
【図３】
2017223597.tif 000005
【図４】
2017223597.tif 000006
【図５】
2017223597.tif 000007
【図６】
2017223597.tif 000008
【図７】
2017223597.tif 000009
【図８】
2017223597.tif 000010
【図９】
2017223597.tif 000011